(57)【要約】      （修正有）【課題】ペットボトル本体に残るキャップ下部のリングを、初回開栓時に容易に取り除くことができるキャップを提供する。【解決手段】リング部３とキャップ部１とを連係部４を設けることで繋ぎ、初回開栓時に切断される従来型接続部２によってキャップ部１とリング部３が分離されずに同時にペットボトル部８から取り除くことができ、リング部３は、リング部の一部にリング接続部５を設ける場合は、容易に分割され、また、補助フック６を設ける場合は、リング接続部５の分断を指先で固定して補助し、ペットボトル本体８からリング部３を取り除き易くするもので、ペットボトル本体から取り除いた後、連係部４に設けられた切り割部分７でキャップ部１とリング部３を切り離すことができ、キャップ部１のみを再使用可能とする。【選択図】図５
2011063312.tif 000002
【特許請求の範囲】
【請求項１】
ペットボトルのキャップ部（１）の下に付いている開栓後に残るリング部（３）とキャップ部（１）とを連係部（４）を設けることで繋ぎ、初回開栓時に切断される従来型接続部（２）によってキャップ部（１）とリング部（３）が分離されずに同時にペットボトル部（７）から取り除くことを特長とする分別回収率を高めるペットボトル用キャップ。
【請求項２】
前記リング部（３）は、リング部の一部にリング接続部（５）を設ける場合は、容易に分割され、また、補助フック（６）を設ける場合は、リング接続部（５）の分断を指先で固定して補助し、ペットボトル本体からリング部（３）を取り除き易くするもので、ペットボトル本体（８）から取り除いた後、連係部（４）に設けられた切り割部（７）でキャップ部（１）とリング部（３）を切り離せることが出来るので、キャップ部（１）のみを再使用可能なことを特長とする分別回収率を高めるペットボトル用キャップ。
【発明の詳細な説明】
【技術分野】
【０００１】  本発明は、ペットボトルのキャップ開栓後にペットボトル本体に残るキャップ下部のリングを取り除くことを特長とする分別回収率を高めるペットボトル用キャップに関するものである。
【背景技術】
【０００２】使用済みペットボトルの分別回収に於いて、キャップ下のリングを取り除くことが困難で有るため、キャップ下のリングが付いたままでペットボトルが回収されることが多い。
【先行技術文献】
【特許文献】
【０００３】
【特許文献１】特開２００６−１７６２０４号公報
【発明の開示】
【発明の概要】
【発明が解決しようとする課題】
【０００４】  使用済みペットボトルの分別回収に於いて、ペットボトルのキャップ開栓後に、ペットボトル本体に残るキャップ下部のリングの問題を、初回開栓時に容易に取り除くことができる効果を得ようとすることを課題とする。
【課題を解決するための手段】
【０００５】  ペットボトルのキャップ部（１）の下に付いている開栓後に残るリング部（３）とキャップ部（１）とを連係部（４）を設けることで繋ぎ、初回開栓時に切断される従来型接続部（２）によってキャップ部（１）とリング部（３）が分離されずに同時にペットボトル部（８）から取り除くことができる。リング部（３）は、リング部の一部に切れ目の入ったリング接続部（５）を設ける場合は、容易にリング部（３）が分割され、また、補助フック（６）を設ける場合は、補助フック（６）を指先で固定して開栓することにより、リング接続部（５）の切断を補助し、ペットボトル本体からリング部（３）を取り除き易くするものである。ペットボトル本体から取り除いた後、連係部（４）に設けられた切り割部分（７）でキャップ部（１）とリング部（３）を切り離すことができるので、キャップ部（１）のみを再使用可能となることを特徴とする分別回収率を高めるペットボトル用キャップ。
【発明の効果】
【０００６】  本発明は、ペットボトルのキャップ部（１）の開栓後に残るキャップ下部のリング部（３）を、道具を使って切断したり、指先で取り外す等の不便さを解消し、資源ゴミのリサイクルに於ける分別回収を容易にすることが本発明の効果で有り、環境・資源問題も含めたリサイクル効果を達成するのが目的である。
【発明を実施するための最良の形態】
【０００７】以下、本発明の実施の形態について説明する。
キャップ部（１）とリング部（３）は、初回開栓時に連係された状態で取り外されるので、連係部（４）は初回開栓時に分離されない強度が必要であり、リング接続部（５）は開栓時に分断されるので分断できる程度の強度が望ましく、現行流通しているペットボトルキャップの従来型接続部（２）は、リング接続部（５）よりも弱い強度とし、開栓後に再度キャップ部（１）を取付ける必要が有る場合は、連係部（４）の切り割部分（７）から手で力を加えれば引きちぎれる程度の強度が望ましい。また、全図面の各部品の大きさと強度を比較した場合、必ずしも比例せず、同等及び逆転の場合も有る。【０００７】  また、リング接続部（５）が開栓時に分断されにくい場合は、補助フック（６）を指で押さえながら開栓を続けるのが望ましい。【０００８】  さらにペットボトルの口のねじ切り部下のリング止めとリング部内側の上へのスライド止めの形状で、リング部が比較的容易に外れ易い場合は、図４の形態図が示すようにリング接続部（５）と補助フック（６）を排除した従来型の切れ目の無いリングを使用しても構わない。また、図１から補助フック（６）のみを排除した形態でも構わない。
【実施例１】
【０００９】  図１は、本発明の第一の実施例を示す斜視図である。図示の通り、本発明品のペットボトルキャップはキャップ部（１）、従来型接続部（２）、リング部（３）、リング部を連係するリング接続部（５）、補助フック（６）、およびキャップ部（１）とリング部（３）を連係する連係部（４）、切り割部（７）により構成されている。【００１０】図５は、図１のキャップをペットボトルに取付けた状態を表す。図６、図７、図８は、キャップの使用状態を表す。図６は、リング部（３）の補助フック（６）に指を添えて開栓しようとしている状態を表し、指で押さえることにより縦に切れ目の入ったリング接続部（５）の切断を補助して、リング部（３）を外し易くするものである。図７、図８は、開栓後の状態と使用状態を表す。開栓のためにキャップ部（１）を回転することにより、ペットボトルの口部分から持ち上がらないように取付けられたリング部（３）は、キャップと同時に回転しながら従来型接続部（２）が切断されてキャップ部（１）とリング部（３）に分断されるが、連係部（４）を設けることにより繋がったままで開栓される。リング部（３）に縦の切れ目の入ったリング接続部（５）を設けることによりリング部（３）が開栓時に切断され、リング部を取り外し易くする。また、補助フック（６）をキャップを開ける手以外の片方の手の指先で押さえることにより、リング接続部（５）の切断を補助するものである。
【実施例２】
【００１１】  図２は、本発明の第二の実施例を示す斜視図である。図示の通り、リング接続部（５）の切れ目が右上から左下に入った右斜めになっていることを特徴とする実施例である。
【実施例３】
【００１２】  図３は、本発明の第三の実施例を示す斜視図である。図示の通り、リング接続部（５）の切れ目が左上から右下に入った左斜めになっていることを特徴とする実施例である。
【実施例４】
【００１３】  図４は、本発明の第四の実施例を示す斜視図である。図示の通り、リング接続部（５）と補助フック（６）を設けずに従来型の切れ目の無い連続したリングになっていることを特徴とする実施例である。これは、ペットボトルの口のねじ切り部下のリング止めとリング部内側の上へのスライド止めの形状で、リング部が比較的容易に外れ易い場合は、リング接続部（５）と補助フック（６）を設けなくても構わない。その場合、連係部（４）と切り割部（７）だけで良いので構造を簡略化でき、コスト面も押さえられる。
【図面の簡単な説明】
【００１４】
【図１】本発明の第一の実施の形態の斜視図
【図２】本発明の第二の実施の形態の斜視図
【図３】本発明の第三の実施の形態の斜視図
【図４】本発明の第四の実施の形態の斜視図
【図５】本発明品をペットボトルに取り付けた状態例の斜視図
【図６】本発明品を指を添えてペットボトルから開栓しようとしている状態例の斜視図
【図７】本発明品をペットボトルから開栓後の状態例の斜視図
【図８】（ａ）本発明品の開栓後の使用状態を示す斜視図  （ｂ）本発明品の開栓後の使用状態を示す斜視図
【符号の説明】
【００１５】１  キャップ部
２  従来型接続部
３  リング部
４  連係部
５  リング接続部
６  補助フック
７  切り割部分
８  ペットボトル本体
９  手
【図１】
2011063312.tif 000003
【図２】
2011063312.tif 000004
【図３】
2011063312.tif 000005
【図４】
2011063312.tif 000006
【図５】
2011063312.tif 000007
【図６】
2011063312.tif 000008
【図７】
2011063312.tif 000009
【図８】
2011063312.tif 000010